(57)【要約】【課題】コイルばねを用いることなく、小型化を可能にする光ピックアップ装置およびそれに用いるグレーティング取付方法を提供することを目的とする。【解決手段】グレーティング１０２が保持されたグレーティングホルダ１０９をベース１０８に配置する第１のステップと、グレーティングホルダ１０９をベース１０８に粘着テープ１２０で仮固定する第２のステップと、グレーティングホルダ１０９をベース１０８に仮固定した状態で、グレーティング１０２を光軸の周回方向に回転させて、グレーティング１０２の取付位置を調整する第３のステップと、取付位置を調整したグレーティング１０２をベース１０８に本固定する第４のステップとを有する方法である。【選択図】図３
2011086320.tif 000002
【特許請求の範囲】
【請求項１】
光源と、前記光源からの光を回折するグレーティングと、前記グレーティングを保持したホルダと、前記ホルダを配置したベースとを備える光ピックアップ装置のグレーティング取付方法であって、
前記グレーティングが保持された前記ホルダを前記ベースに配置する第１のステップと、
前記ホルダを前記ベースに仮固定する第２のステップと、
前記ホルダを前記ベースに仮固定した状態で、前記グレーティングを光軸の周回方向に回転させて、前記グレーティングの取付位置を調整する第３のステップと、
取付位置を調整した前記グレーティングを前記ベースに本固定する第４のステップとを有し、
前記第２のステップは、
前記ホルダを前記ベースに粘着テープで仮固定するステップとした
光ピックアップ装置のグレーティング取付方法。
【請求項２】
前記第２のステップは、
前記光の光軸の周回方向にのみ回転可能に、前記ホルダを前記ベースに前記粘着テープで仮固定するステップとした
請求項１に記載の光ピックアップ装置のグレーティング取付方法。
【請求項３】
前記第２のステップは、
前記光の光軸と平行な面において、前記ホルダを前記ベースに前記粘着テープで仮固定するステップとした
請求項１に記載の光ピックアップ装置のグレーティング取付方法。
【請求項４】
請求項１〜請求項３に記載の光ピックアップ装置のグレーティング取付方法を用いて製造した光ピックアップ装置。
【発明の詳細な説明】
【技術分野】
【０００１】
本発明は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等の光記録媒体の記録、再生に用いる光ピックアップ装置およびそれに用いるグレーティング取付方法に関するものである。
【背景技術】
【０００２】
ＣＤやＤＶＤ等の光記録媒体の記録、再生に用いる光ピックアップ装置の一例について説明する。図５は従来の光ピックアップ装置の光学系の概略図、図６は同光ピックアップ装置に用いる光源ユニットの拡大断面図である。
【０００３】
図５、図６において、光ピックアップ装置１の光学系は、レーザダイオード２およびグレーティング３を配置した光源ユニット４と、この光源ユニット４から出射されるレーザ光を光記録媒体１０からの戻り光と分離するためのビームスプリッタ５と、光源ユニット４からのレーザ光を平行光にするコリメートレンズ６と、コリメートレンズ６からの平行光を光記録媒体１０の記録面に集束させる対物レンズ７と、センサレンズ８を介して光記録媒体１０からの戻り光を受光するための光検出器９を備えている。
【０００４】
光源ユニット４は、光ピックアップ装置１の装置フレーム２０に形成した円筒状の収容部２１と、この一端開口２１ａから同軸状態で差し込まれた円筒状ホルダ２２と、この円筒状ホルダ２２の先端に取り付けられたグレーティング３と、コイルばね２３を挟み、同じく収容部開口２１ａから同軸状態で差し込まれたレーザダイオード２を備えている。
【０００５】
このグレーティング３は、円筒状ホルダ２２に取り付ける際に、光軸Ｌの周回方向に対する回転位置を調整している。この調整は、収容部２１に開けた貫通穴２１ｅから偏心ピン等の冶具を差し込み、光軸Ｌを中心として円筒状ホルダ２２を回転させて行っている。円筒状ホルダ２２を回転させると、圧縮状態にあるコイルばね２３の押し付け力によって、その状態が維持されるとともに仮固定される。そして、グレーティング３の回転位置を調整した後、接着剤等によって、グレーティング３を本固定している。
【０００６】
なお、この出願の発明に関連する先行技術文献情報としては、例えば、特許文献１が知られている。
【先行技術文献】
【特許文献】
【０００７】
【特許文献１】特開２０００−２８５４９４号公報
【発明の概要】
【発明が解決しようとする課題】
【０００８】
上記従来の光ピックアップ装置１では、グレーティング３の回転位置を調整する際、コイルばね２３の押し付け力によって回転位置を仮固定した後、接着剤等を用いて本固定している。このため、コイルばね２３を必ず用いる必要があるが、光ピックアップ装置１の小型化を図った場合、コイルばね２３を配置する空間を確保することが難しいという問題を有していた。
【０００９】
本発明は上記問題を解決し、コイルばねを用いることなく、小型化を可能にする光ピックアップ装置およびそれに用いるグレーティング取付方法を提供することを目的としている。
【課題を解決するための手段】
【００１０】
上記目的を達成するために本発明の光ピックアップ装置のグレーティング取付方法は、光源と、前記光源からの光を回折するグレーティングと、前記グレーティングを保持したホルダと、前記ホルダを配置したベースとを備える光ピックアップ装置のグレーティング取付方法であって、前記グレーティングが保持された前記ホルダを前記ベースに配置する第１のステップと、前記ホルダを前記ベースに仮固定する第２のステップと、前記ホルダを前記ベースに仮固定した状態で、前記グレーティングを光軸の周回方向に回転させて、前記グレーティングの取付位置を調整する第３のステップと、取付位置を調整した前記グレーティングを前記ベースに本固定する第４のステップとを有し、前記第２のステップは、前記ホルダを前記ベースに粘着テープで仮固定するステップとした方法である。
【００１１】
また、上記目的を達成するために本発明の光ピックアップ装置は、光源と、前記光源からの光を回折するグレーティングと、前記グレーティングを保持したホルダと、前記ホルダを配置したベースとを備える光ピックアップ装置のグレーティング取付方法を用いて製造した光ピックアップ装置であって、前記グレーティング取付方法は、前記グレーティングが保持された前記ホルダを前記ベースに配置する第１のステップと、前記ホルダを前記ベースに仮固定する第２のステップと、前記ホルダを前記ベースに仮固定した状態で、前記グレーティングを光軸の周回方向に回転させて、前記グレーティングの取付位置を調整する第３のステップと、取付位置を調整した前記グレーティングを前記ベースに本固定する第４のステップとを有し、前記第２のステップは、前記ホルダを前記ベースに粘着テープで仮固定するステップとした構成である。
【発明の効果】
【００１２】
本発明の光ピックアップ装置およびそれに用いるグレーティング取付方法によれば、グレーティングが保持されたホルダをベースに粘着テープで仮固定するので、粘着テープを配置する空間を設ける必要がない。すなわち、光ピックアップ装置の小型化を図ることができる。
【図面の簡単な説明】
【００１３】
【図１】一実施の形態における光ピックアップ装置の分解斜視図
【図２】同光ピックアップ装置のグレーティング近傍の拡大斜視図
【図３】回転位置の調整前の状態を示す同光ピックアップ装置のクレーティング近傍の拡大斜視図
【図４】回転位置の調整時の状態を示す同光ピックアップ装置のクレーティング近傍の拡大斜視図
【図５】従来の光ピックアップ装置の光学系の概略図
【図６】同光ピックアップ装置に用いる光源ユニットの拡大断面図
【発明を実施するための形態】
【００１４】
以下、一実施の形態における光ピックアップ装置およびそれに用いるグレーティングの取付方法について図面を参照しながら説明する。
【００１５】
図１は一実施の形態における光ピックアップ装置の分解斜視図、図２は同光ピックアップ装置のグレーティング近傍の拡大斜視図である。
【００１６】
＜光ピックアップ装置１００の全体構成について＞
光ピックアップ装置１００の全体構成について説明する。
【００１７】
図１において、光ピックアップ装置１００は、レーザ光を出射する光源としてレーザダイオード１０１、レーザ光を分割するためのグレーティング１０２、偏光方向によって任意の方向へレーザ光を射出できる偏光ビームスプリッタ１０３、ディスク（図示せず）の記録面と平行に配置された光学系をディスクの記録面に垂直な方向に反射させるための立上げミラー１０４、ディスクの記録面にレーザ光を集光させるための対物レンズ１０５、レーザ光のスポット位置を制御するための対物レンズアクチュエータ１０６、ディスクからの反射光を検出するための検出器１０７をベース１０８上に配置して構成している。
【００１８】
図２に示すように、グレーティング１０２は、グレーティングホルダ１０９に保持させて、ベース１０８上に配置している。グレーティング１０２は、あらかじめレーザ光の光軸中心とグレーティング１０２の中心を一致させるように、グレーティングホルダ１０９に保持させている。
【００１９】
＜光ピックアップ装置１００の動作について＞
次に、光ピックアップ装置１００の動作について説明する。
【００２０】
光ピックアップ装置１００は、情報を正しく再生するために、対物レンズアクチュエータ１０６を駆動させて、ディスク上に対するレーザ光のスポット位置を調整する。この調整は、トラッキングエラーを検出する３ビーム法を用いて、対物レンズアクチュエータ１０６を制御することにより行われる。
【００２１】
この３ビーム法は、３つのスポットをディスク上に照射する必要があるため、レーザダイオード１０１の近傍にグレーティング１０２を配置してレーザ光を３つに分割する。このグレーティング１０２の位置がずれると３つのレーザ光の強度のばらつき、および位置ずれが生じ、エラー検出ができなくなる。よって、取り付けには高い精度が必要である。
【００２２】
＜グレーティング１０２の取り付けについて＞
次に、グレーティング１０２の取り付けについて説明する。
【００２３】
図３は回転位置の調整前の状態を示すグレーティング近傍の拡大斜視図、図４は回転位置の調整時の状態を示すグレーティング近傍の拡大斜視図である。
【００２４】
図３において、グレーティング１０２の取り付けは、第１〜第４のステップで行う。
【００２５】
第１のステップでは、グレーティング１０２が保持されたグレーティングホルダ１０９をベース１０８に配置する。
【００２６】
第２のステップでは、グレーティングホルダ１０９をベース１０８に仮固定する。この仮固定は、グレーティングホルダ１０９とベース１０８に粘着テープ１２０を貼ることによって行う。この粘着テープ１２０は、ベース１０８とグレーティングホルダ１０９に対して、光軸と平行な面に貼り付ける。
【００２７】
第３のステップでは、グレーティングホルダ１０９をベース１０８に仮固定した状態で、グレーティング１０２を光軸の周回方向に回転させて、グレーティング１０２の取付位置を調整する。
【００２８】
ベース１０８とグレーティングホルダ１０９の光軸に平行な接触面は、光軸を中心とした曲面に加工されており、グレーティングホルダ１０９には溝１０９ａが設けられている。この溝１０９ａは、光軸の周回方向にグレーティング１０２を回転させるための調整工具１１０を挿入するためのものである。グレーティングホルダ１０９は、粘着テープ１２０の部分的剥離および弾性によって、光軸の周回方向（光軸を中心とした回転方向に）に回転可能となる。また、調整工具１１０をグレーティングホルダ１０９に設けた溝１０９ａに挿入し、グレーティングホルダ１０９をベース１０８に押し当てることによって、光軸に対して垂直な方向への移動を規制することができる。
【００２９】
具体的には次の通りである。図４に示すように、グレーティングホルダ１０９の溝１０９ａに調整工具１１０を挿入する。そして、グレーティングホルダ１０９をベース１０８に押し当てた状態で、光軸を中心とした円の接線方向に調整工具１１０を移動させる（図４における矢印Ａ）。この移動にともなって、グレーティングホルダ１０９を光軸の周回方向に回転させることができる。
【００３０】
第４のステップでは、グレーティングホルダ１０９を適正な回転位置まで回転させた後、調整工具１１０を固定する。調整工具１１０を固定することによって、粘着テープ１２０の応力および自重によるグレーティングホルダ１０９の移動を規制する。そして、グレーティングホルダ１０９とベース１０８を本固定する。この本固定は、グレーティングホルダ１０９とベース１０８を接着剤で接着することによって行う。
【００３１】
上記のように、第１〜第４のステップにしたがってグレーティング１０２を取り付けることにより、光ピックアップ装置１００が製造される。
【００３２】
＜一実施の形態のまとめ＞
本実施の形態における光ピックアップ装置のグレーティング取付方法によれば、グレーティング１０２が保持されたグレーティングホルダ１０９をベース１０８に粘着テープ１２０で仮固定するので、粘着テープ１２０を配置する空間を設ける必要がない。すなわち、空間に相当する体積を減らせるので、設計自由度が向上し、光ピックアップ装置の小型化を図ることができる。
【００３３】
また、従来のような、グレーティングホルダ１０９の位置調整のために取り付けていたばね等が不要となり、部品点数を減らせるので、低コスト化を図ることができる。
【００３４】
特に、小型化を図るほど、一般的には、ばねの押圧力の設計も困難となる。部品寸法精度が数十μｍばらつくと押圧力が強すぎる、または弱すぎてグレーティングホルダ１０９の回転調整ができないという新たな問題が容易に発生する可能性がある。しかし、本実施の形態によれば、ばね等を用いないので、このような問題は発生しない。
【産業上の利用可能性】
【００３５】
本発明は、光記録媒体の記録や再生に用いる光ピックアップ装置に適用可能である。
【符号の説明】
【００３６】
１００    光ピックアップ装置
１０１    レーザダイオード
１０２    グレーティング
１０３    偏光ビームスプリッタ
１０４    立上げミラー
１０５    対物レンズ
１０６    対物レンズアクチュエータ
１０７    検出器
１０８    ベース
１０９    グレーティングホルダ
１０９ａ    溝
１１０    調整工具
１２０    粘着テープ
【図１】
2011086320.tif 000003
【図２】
2011086320.tif 000004
【図３】
2011086320.tif 000005
【図４】
2011086320.tif 000006
【図５】
2011086320.tif 000007
【図６】
2011086320.tif 000008